(57)【要約】【課題】長期に渡って筆記を繰り返しても、芯ガイド５が揺動する恐れがない。また、合成樹脂製の口金１に金属製の芯ガイド５の後部５Ｆを圧入固着しても、口金１が割れたりクラックが発生する恐れがないシャープペンシルを提供する。【解決手段】合成樹脂製の口金１の内面に長手方向に伸びたリブ１Ａを複数形成し、この口金１のリブ１Ａに口金１の前端から挿入された芯ガイド５の後部５Ｆを圧入固着する。この芯ガイド５内に芯６を適度の力で保持する芯ホルダー７を内蔵する。【選択図】        図１
2006088343.tif 000002
【特許請求の範囲】
【請求項１】
チャックを前進させることにより芯を繰り出すシャープペンシルにおいて、軸筒の前部に合成樹脂製の口金を取り付け、口金内を前記チャックが前進するとともに、口金の内面に長手方向に伸びたリブを複数形成し、この口金のリブに口金の前端から挿入された芯ガイドの後部を圧入固着し、この芯ガイド内に芯を適度の力で保持する芯ホルダーを内蔵したことを特徴とするシャープペンシル。
【請求項２】
金属製の芯ガイドの後部に後端部が傾斜された係止鍔を形成し、この係止鍔を口金のリブに圧入固着したことを特徴とする請求項１記載のシャープペンシル。
【請求項３】
口金の先端孔の内径よりもリブの内接円の直径を小さく構成したことを特徴とする請求項１又は２記載のシャープペンシル。
【発明の詳細な説明】
【技術分野】
【０００１】
本発明は、芯ホルダーを内蔵した芯ガイドを口金の前部に圧入固着したシャープペンシルに関する。
【背景技術】
【０００２】
従来、先端キャップ６（口金に該当）の内部中心部には、心の把持歩進機構８の一端から外方に連通する比較的太径の連通孔１１が形成されている。そして、この連通孔１１には、外方から心ガイドパイプ１２（芯ガイドに該当）が嵌装されるようになっている。この心ガイドパイプ１２は、内部中心に心ガイド孔１３を有する小径部１４と、内部に心の戻り止め用のストッパーリング１５（芯ホルダーに該当）を嵌装した太径部１６とからなっており、この太径部１６に、嵌合部１７を形成し、この嵌合部１７を前記先端キャップ６の前記連通孔１１に嵌合することにより、支持固定されている。この時、連通孔１１の内方の係止部１８に、ガイドパイプ１２の嵌合部後端に形成した係合突部１９を圧入後、係合させることにより強固に係止することができるシャープペンシルが知られている。（特許文献１参照）
【特許文献１】実開昭５２−１５９３３号公報（第３−４頁、第２図）
【発明の開示】
【発明が解決しようとする課題】
【０００３】
上記したシャープペンシルは、先端キャップ６の連通孔１１にガイドパイプ１２の係合突部１５を圧入する時、連通孔１１が広がってしまい、連通孔１１と嵌合部１７に隙間が生じてしまう恐れがあった。すると、筆記時にガイドパイプ１２に横方向の応力が生じると揺動してしまい、非常に筆記しにくくなってしまうものであった。また、先端キャップ６を合成樹脂で構成し、ガイドパイプ１２を金属で構成した場合には、先端キャップ６の連通孔１１にガイドパイプ１２の係合突部１５を圧入する時、先端キャップ６が割れたりクラックが発生してしまう恐れがあった。
【課題を解決するための手段】
【０００４】
本発明は、チャックを前進させることにより芯を繰り出すシャープペンシルにおいて、軸筒の前部に合成樹脂製の口金を取り付け、口金内を前記チャックが前進するとともに、口金の内面に長手方向に伸びたリブを複数形成し、この口金のリブに口金の前端から挿入された芯ガイドの後部を圧入固着し、この芯ガイド内に芯を適度の力で保持する芯ホルダーを内蔵したことを第１の要旨とする。
【０００５】
また、金属製の芯ガイドの後部に後端部が傾斜された係止鍔を形成し、この係止鍔を口金のリブに圧入固着したことを第２の要旨とする。
【０００６】
更に、口金の先端孔の内径よりもリブの内接円の直径を小さく構成したことを第３の要旨とする。
【発明の効果】
【０００７】
本発明のシャープペンシルは、芯ガイド内に芯ホルダーを内蔵するので、短くなった芯でも芯ホルダーによって保持でき、残芯として排出される芯が短くなり経済的である。更に、口金のリブに芯ガイドの後部を圧入固着するので、芯ガイドの後部を圧入する時リブが外方ではなく両側に変形され、リブの内面と芯ガイドの後部に隙間が発生しにくくなる。したがって、長期に渡って筆記を繰り返しても、芯ガイドが揺動する恐れがないという利点がある。また、合成樹脂製の口金に金属製の芯ガイドの後部を圧入固着しても、口金が割れたりクラックが発生する恐れがなくなるものである。
【発明を実施するための最良の形態】
【０００８】
口金のリブに芯ガイドの後部を圧入固着することにより、筆記時に芯ガイドが揺動しないシャープペンシルを実現した。
【実施例１】
【０００９】
図１および図２により本発明の実施例１のシャープペンシルを説明する。尚、図１の左側を前方とし、右側を後方とする。先ず、合成樹脂製の口金１の内面に長手方向に伸びたリブ１Ａを等間隔に６個形成する。このリブ１Ａには、固定具２を挟持する段部１Ｂと、締具３を受け止める係止段１Ｃと、チャック４を受け止める受段１Ｄが形成される。また、リブ１Ａの最前部１Ｅの内接円の直径は先端孔１Ｆの内径よりも小さく構成される。更に、口金１の後部には雌ネジ部１Ｇが形成される。金属製の芯ガイド５は、先端部５Ａが略円錐形に形成されるとともに、芯６が通過可能な貫通孔５Ｂが形成される。この芯ガイド５には中間孔５Ｃと後部孔５Ｄが形成され、外面には外鍔部５Ｅと筒状の後部５Ｆが形成される。この後部５Ｆに後端部が傾斜された係止鍔５Ｇを形成する。更に、芯ガイド５の後部孔５Ｄにゴム製の芯ホルダー７を圧入して取り付け、芯ガイド５の中間孔５Ｃに位置する芯ホルダー７の保持部７Ａにより芯６を適度の力で保持する。
【００１０】
この芯ガイド５を前記口金１の先端から挿入し、芯ガイド５の係止鍔５Ｇを口金１の最前部１Ｅのリブ１Ａに圧入固着する。この時、芯ガイド５の係止鍔５Ｇは口金１の先端孔１Ｆより細径に構成されているので、口金１の先端孔１Ｆを変形する心配はない。
【００１１】
次に、チャック４、締具３、固定具２、スプリング８および芯タンク９からなる機構部を軸筒１０の前方より挿入し、軸筒１０の前部に固定具２の後部２Ａを挿入する。この軸筒１０の雄ネジ部１０Ａに前記口金１の雌ネジ部１Ｇを螺合し、リブ１Ａの段部１Ｂと軸筒１０の前端により固定具２の外鍔２Ｂを挟持し、ノック式のシャープペンシルを構成する。
【００１２】
以上説明したシャープペンシルは、ノックによりチャック４を前進させて芯６を繰り出すと、締具３がリブ１Ａの係止段１Ｃに当接されてチャック４の頭部４Ａから締具３を外すとともに、チャック４の前端がリブ１Ａの受段１Ｄに当接されてチャック４が停止される。そして、筆記中の芯６が短くなっても芯ガイド５の先端近くまで芯ホルダー７によって保持されるので、次の芯６で短くなった芯６を押すことにより筆記が行える。したがって、残芯として排出される芯６は芯ガイド５の先端から芯ホルダー７の前端までの長さとなり、残芯の長さは非常に短くなる。
【産業上の利用可能性】
【００１３】
口金に揺動することなく芯ガイドが取り付けられ、この芯ガイド内に芯ホルダーを内蔵するので残芯の長さが非常に短くなるシャープペンシルに適用できる。
【図面の簡単な説明】
【００１４】
【図１】本発明の実施例１のシャープペンシルを示す主要部断面図である。（実施例１）
【図２】図１のＡ−Ａ線を示す拡大断面図である。（実施例１）
【符号の説明】
【００１５】
１  口金
１Ａ  口金１のリブ
１Ｆ  口金１の先端孔
４  チャック
５  芯ガイド
５Ｆ  芯ガイド５の後部
５Ｇ  芯ガイド５の係止鍔
６  芯
７  芯ホルダー
１０  軸筒
【図１】
2006088343.tif 000003
【図２】
2006088343.tif 000004